(57)【要約】【課題】検索対象に設定する放送局を効率よく選局し、放送内容とユーザが設定したキーワードとの照合漏れを抑制する移動体用放送受信機を提供する。【解決手段】複数の放送局のうち照合処理の対象とする複数の放送局を記憶する記憶部７１と、記憶部７１に記憶された放送局から、複数の放送局を選局し、選局した放送局の割り当てを指示する選局部７２と、選局部７２により割り当てられた複数の放送局の放送信号を同時に受信可能な第１および第２のチューナ２，３と、第１および第２のチューナ２，３が受信した放送信号を音声データに変換する音声認識部６と、ユーザ操作により設定されたキーワードと、音声認識部６が変換した音声データとを照合する照合部７３と、照合部７３においてキーワードと一致すると照合された音声データを含む放送信号を音声出力させる音声切替処理部７４とを備える。【選択図】図１
2013255060.tif 000002
【特許請求の範囲】
【請求項１】
移動体に搭載され、放送局から送信された放送信号を受信する移動体用放送受信機において、
複数の放送局のうち照合処理の対象とする複数の放送局を記憶する記憶部と、
前記記憶部に記憶された放送局から、複数の放送局を選局し、選局した放送局の割り当てを指示する選局部と、
前記選局部により割り当てられた複数の放送局の放送信号を同時に受信可能なチューナと、
前記チューナが受信した放送信号を音声データに変換する音声認識部と、
ユーザ操作により設定されたキーワードと、前記音声認識部が変換した音声データとを照合する照合部と、
前記照合部において前記キーワードと一致すると照合された音声データを含む放送信号を音声出力させる音声切替処理部とを備えたことを特徴とする移動体用放送受信機。
【請求項２】
前記記憶部は、ユーザ操作または前記チューナの受信履歴に基づいて選択された複数の放送局を照合処理の対象として記憶することを特徴とする請求項１記載の移動体用放送受信機。
【請求項３】
前記記憶部は、前記チューナの数より多い放送局を記憶し、
前記選局部は、少なくとも前記チューナの数より多い放送局を選局し、
少なくとも１つの前記チューナは、複数の放送局の放送信号を一定間隔で切り替えて受信することを特徴とする請求項１または請求項２記載の移動体用放送受信機。
【請求項４】
前記記憶部は、照合処理の対象とする複数の放送局間の優先度を記憶し、
前記選局部は、前記放送局間の優先度に基づいて前記放送局を選局することを特徴とする請求項１から請求項３のうちのいずれか１項記載の移動体用放送受信機。
【請求項５】
前記選局部は、前記照合部において前記キーワードと一致する音声データが存在しないと判断された場合に、前記各チューナの放送信号の受信状態を取得し、取得した受信状態が許容値を満たさないチューナに対して、前記記憶部に記憶された放送局のうち、いずれのチューナにおいても選局されていない放送局を割り当てることを特徴とする請求項１から請求項４のうちのいずれか１項記載の移動体用放送受信機。
【請求項６】
前記照合部は、前記キーワードと一致すると照合した音声データを含む放送信号を音声出力するか否か選択要求を出力し、
前記音声切替処理部は、前記選択要求に対して音声出力すると選択された放送信号を音声出力することを特徴とする請求項１から請求項５のうちのいずれか１項記載の移動体用放送受信機。
【発明の詳細な説明】
【技術分野】
【０００１】
この発明は、車両などの移動体に搭載される移動体用放送受信機に関するものである。
【背景技術】
【０００２】
車両などの移動体にはラジオ受信機やオーディオ機器、ビデオ機器が搭載され、ユーザに必要な情報や、音楽や映像などといった娯楽を提供している。放送波からユーザに必要な情報や、音楽や映像などを選択する方法として、受信した放送波の放送内容を音声認識し、認識した放送内容とユーザが設定したキーワードとを照合し、一致する放送波を自動選局する方法が用いられている。キーワードと一致する放送波を欠落させることなく選局する構成として、特許文献１には、移動体の現在位置および現在時刻において聴取可能な放送プログラム内を全て検索する検索手段を備えた移動体用放送受信装置が記載されている。また特許文献２には、複数の放送局の放送波の音声信号を併行して受信および監視し、情報収集の頻度を高める情報収集装置が記載されている。
【先行技術文献】
【特許文献】
【０００３】
【特許文献１】特開２００７−２７４２３７号公報
【特許文献２】特開平０９−７４２９９号公報
【発明の概要】
【発明が解決しようとする課題】
【０００４】
しかしながら、上述した特許文献１に開示された技術では、聴取可能な放送プログラム
全てを照合対象とするため、検索中の放送プログラム以外の放送プログラムについてキーワードとの照合を行うことができない期間が長くなる。そのため、検索を行っていない放送プログラムにおいて照合漏れが多く発生するという課題があった。
【０００５】
また、特許文献２に開示された技術では、複数の放送局からの放送波の音声信号を併行して受信および監視している場合であっても、当該複数の放送波の電波状態が悪くなると不要な照合処理をし続けてしまうという課題があった。
【０００６】
この発明は、上記のような課題を解決するためになされたもので、検索対象に設定する放送局を効率よく選局し、放送内容とユーザが設定したキーワードとの照合漏れを抑制する移動体用放送受信機を提供することを目的とする。
【課題を解決するための手段】
【０００７】
この発明に係る移動体用放送受信機は、複数の放送局のうち照合処理の対象とする複数の放送局を記憶する記憶部と、記憶部に記憶された放送局から、複数の放送局を選局し、選局した放送局の割り当てを指示する選局部と、選局部により割り当てられた複数の放送局の放送信号を同時に受信可能なチューナと、チューナが受信した放送信号を音声データに変換する音声認識部と、ユーザ操作により設定されたキーワードと、音声認識部が変換した音声データとを照合する照合部と、照合部においてキーワードと一致すると照合された音声データを含む放送信号を音声出力させる音声切替処理部とを備えるものである。
【発明の効果】
【０００８】
この発明によれば、検索対象に設定する放送局を効率よく選局することができ、さらに放送内容とユーザが設定したキーワードとの照合漏れを抑制することができる。
【図面の簡単な説明】
【０００９】
【図１】実施の形態１による移動体用放送受信機の構成を示すブロック図である。
【図２】実施の形態１による移動体用放送受信機の制御部の動作を示すフローチャートである。
【図３】実施の形態１による移動体用放送受信機の制御部の動作を示すフローチャートである。
【図４】実施の形態１による移動体用放送受信機の選局部によるチューナ切替方法を示す図である。
【発明を実施するための形態】
【００１０】
実施の形態１．
図１は、この発明の実施の形態１による移動体用放送受信機の構成を示すブロック図である。
図１において、移動体用放送受信機は、アンテナ１、第１のチューナ２、第２のチューナ３、操作部４、音声入力部５、音声認識部６、制御部７、音声アナウンス部８、音声ソース９、音声切替部１０および音声出力部１１で構成される。
【００１１】
アンテナ１は放送波を受信し、受信した放送波を第１のチューナ２および第２のチューナ３に出力する。第１のチューナ２および第２のチューナ３は、アンテナ１から入力された放送波から、制御部７から指定された放送局の放送波を選局して受信する。操作部４は、例えばタッチパネルやボタンなどで構成され、ユーザの入力操作を受け付ける。ユーザの操作入力としては、例えば、ユーザが視聴したい内容が含まれると予測される放送局を複数局指定する操作、指定した複数の放送局の優先度を指定する操作、後述する音声アナウンス部８を介して出力される音声アナウンスに対する入力操作などが挙げられる。
【００１２】
音声入力部５は、例えばマイクなどで構成され、ユーザの音声入力を受け付ける。ユーザの音声入力として、例えばユーザが視聴したい内容を示す情報（以下、キーワードと称する）の音声入力、後述する音声アナウンス部８を介して出力される音声アナウンスに対する音声入力などが挙げられる。音声認識部６は、音声入力部５に入力された音声信号を音声データに変換すると共に、第１のチューナ２および第２のチューナ３が受信した放送波の音声信号を音声データに変換する。制御部７は、第１のチューナ２および第２のチューナ３の選局を制御し、第１のチューナ２および第２のチューナ３の放送波の音声データと、ユーザが入力したキーワードとの照合処理を行う。さらに、制御部７は、照合結果に基づいて音声アナウンス部８および音声切替部１０の制御を行う。
【００１３】
音声アナウンス部８は、ユーザが入力したキーワードに一致する放送内容が含まれる放送波が存在したことをユーザに通知するアナウンスを行う。音声ソース９は、ＣＤプレーヤやＤＶＤプレーヤなどの再生装置などで構成される。音声切替部１０は、第１のチューナ２、第２のチューナ３、音声アナウンス部８および音声ソース９のいずれかの音声出力に切り替える。音声出力部１１は、例えばスピーカなどで構成され、音声切替部１０で切り替えられた音声信号を出力する。
【００１４】
制御部７の構成についてより詳細に説明する。制御部７は、記憶部７１、選局部７２、照合部７３および音声切替処理部７４で構成されている。
記憶部７１は、操作部４を介してユーザが指定した複数の放送局を記憶する。以下では、３つの放送局を記憶する場合を例に説明するが、放送局の数は、チューナの数（この実施の形態１では２つ）より多ければよく、適宜変更可能である。さらに記憶部７１は、音声入力部５を介してユーザが音声入力し、音声認識部６において音声データに変換されたキーワードを記憶する。選局部７２は、第１のチューナ２および第２のチューナ３の選局を行う。選局は、記憶部７１に記憶された複数の放送局を割り当てることにより行う。さらに選局部７２は、第１のチューナ２および第２のチューナ３の受信電波を監視し、電波状態の悪化を検知した場合には、電波状態が悪化したチューナの受信を記憶部７１に記憶されたその他の放送局の放送波の受信に切り替える。
【００１５】
照合部７３は、音声認識部６から入力される第１のチューナ２および第２のチューナ３の放送波の音声データと、記憶部７１に記憶されたキーワードとの照合を行い、キーワードに一致する放送内容が存在するか検索を行う。照合部７３は、キーワードに一致する放送内容が存在すると判断した場合に、キーワードに一致する放送内容を放送する放送局が存在することをアナウンスさせると共に、第１のチューナ２または第２のチューナ３の音声出力に切り替えるか否かユーザに判断を求めるアナウンスを行うように、音声アナウンス部８を制御する。音声切替処理部７４は、音声認識部６からキーワードに一致した放送内容の放送局に切り替える指示が入力されると、当該放送局の音声出力に切り替えるように音声切替部１０を制御する。
【００１６】
次に、実施の形態１の移動体用放送受信機の動作について図２および図３のフローチャートを参照しながら説明を行う。図２および図３はこの発明の実施の形態１による移動体用放送受信機の制御部の動作を示すフローチャートであり、図２は特に照合動作および音声切替動作を示し、図３は特にチューナ切替動作を示す。なお、図２および図３では、操作部４を介してユーザが３つの放送局、Ａ局、Ｂ局、Ｃ局を選局し、優先度を以下の順に設定したものとして説明を行う。
優先度：Ａ局＞Ｂ局＞Ｃ局
また、音声切替部１０の初期設定として、音声ソース９の音声データを音声出力部１１から出力する設定であるものとして説明を行う。
【００１７】
まず、図２を参照しながら制御部の照合動作および音声切替動作について説明する。
制御部７は、操作部４を介してユーザが指定した３つの放送局Ａ局、Ｂ局、Ｃ局を、それぞれの優先度と共に記憶部７１に保存する（ステップＳＴ１）。さらに制御部７は、音声認識部６から入力されるキーワードの音声データを記憶部７１に保存する（ステップＳＴ２）。選局部７２は、第１のチューナ２と第２のチューナ３の切り替えが必要か否か判定を行う（ステップＳＴ３）。第１のチューナ２と第２のチューナ３の切り替えが必要ない場合（ステップＳＴ３；ＮＯ）、ステップＳＴ６の処理に進む。
【００１８】
一方、第１のチューナ２と第２のチューナ３の切り替えが必要な場合（ステップＳＴ３；ＹＥＳ）、選局部７２は、切り替えが必要なチューナに選局要求を出力する（ステップＳＴ４）。第１のチューナ２と第２のチューナ３の切り替えが必要な場合とは、後述するチューナ切替方法決定直後や、第２のチューナ３を切り替える場合である。なお以下では、ステップＳＴ１で設定された優先度に基づいて、第１のチューナ２にＡ局の選局要求を出力し、第２のチューナ３にＢ局の選局要求を出力した場合を例に説明する。
【００１９】
ステップＳＴ４の選局要求に基づいて、第１のチューナ２がＡ局の放送波を受信し、第２のチューナ３がＢ局の放送波を受信することにより、音声認識部６から制御部７にＡ局の放送波の音声データおよびＢ局の放送波の音声データが入力されると（ステップＳＴ５）、照合部７３はステップＳＴ５で入力されたＡ局およびＢ局の放送波の音声データと、ステップＳＴ２で記憶部７１に保存したキーワードとの照合を行う（ステップＳＴ６）。
【００２０】
照合部７３は、キーワードと一致する音声データが存在するか否か判定を行う（ステップＳＴ７）。キーワードと一致する音声データが存在する場合（ステップＳＴ７；ＹＥＳ）、照合部７３はキーワードと一致する音声データが存在する旨を通知する音声アナウンス（例えば、「照合が一致した放送局が存在します」など）の出力要求を音声アナウンス部８に出力する（ステップＳＴ８）。
【００２１】
音声切替処理部７４は、ステップＳＴ８の音声アナウンス出力要求に基づいて出力された音声アナウンスに対して、音声切替指示が入力されたか否か判定を行う（ステップＳＴ９）。音声切替指示が入力されたと判定した場合（ステップＳＴ９；ＹＥＳ）、音声切替処理部７４は入力された音声切替指示に基づいた音声切替要求を音声切替部１０に出力し（ステップＳＴ１０）、処理を終了する。一方、音声切替指示が入力されていないと判定した場合（ステップＳＴ９；ＮＯ）、音声切替要求を出力せずに処理を終了する。
【００２２】
なお、図２のフローチャートでは、ステップＳＴ７においてキーワードと一致する音声データが存在すると判定された場合にはフローを終了する構成を示したが、ステップＳＴ７においてキーワードと一致する音声データが存在すると判定された場合にもステップＳＴ６の処理に戻り、照合処理を継続するように構成してもよい。すなわち、ステップＳＴ９の判定結果ＮＯの後またはステップＳＴ１０の後、ステップＳＴ６の処理に戻り、上述した処理を繰り返すように構成可能である。
【００２３】
次に、照合部７３がキーワードと一致する放送局が存在しないと判定した場合（ステップＳＴ７；ＮＯ）のチューナ切替動作について、図３のフローチャートを参照しながら説明する。
キーワードと一致する音声データが存在しないと判定した場合（ステップＳＴ７；ＮＯ）、照合部７３は選局部７２に対して、選局している放送局の放送波の受信状態（以下、電波状態と称する）の確認要求を出力する（ステップＳＴ１１）。選局部７２は、ステップＳＴ１１で入力された電波状態の確認要求に基づいて、選局している放送局の電波状態を取得する（ステップＳＴ１２）。取得する電波状態とは、例えば第１のチューナ２および第２のチューナ３から入力される各放送局の放送波の電界強度を示す情報や、放送波のノイズ量を示す情報などである。なお、電界状態を示す情報およびノイズ量を示す情報以外の情報を考慮してもよい。
【００２４】
選局部７２は、一定期間電波状態を取得したか否か判定を行う（ステップＳＴ１３）。
一定期間電波状態を取得していないと判定された場合には（ステップＳＴ１３；ＮＯ）、チューナ切替必要判定処理（図３の符号Ｙ）に戻る。
【００２５】
一方、一定期間電波状態を取得したと判定された場合には（ステップＳＴ１３；ＹＥＳ）、ステップＳＴ１２で取得した各放送局の電波状態が許容値以上であるか否かに基づいて各放送局の電波状態を確定する（ステップＳＴ１４）。
具体的に説明すると、電波状態として電界強度を示す情報およびノイズ量を示す情報を取得した場合には、電界強度がしきい値より大きいか否か、およびノイズ量がしきい値より小さいか否かを各放送局について判定する。電界強度がしきい値より大きく、且つノイズ量がしきい値より小さい放送局は電波状態が良好であると確定し、電界強度がしきい値より小さい、またはノイズ量がしきい値より大きい放送局は電波状態が悪いと確定する。
【００２６】
選局部７２は、全ての放送局の電波状態が一定期間悪いか否か判定を行う（ステップＳＴ１５）。全ての放送局の電波状態が一定期間悪いと判定された場合には（ステップＳＴ１５；ＹＥＳ）、選局部７２は電波状態が悪く、照合処理が行えない旨を通知する音声アナウンス（例えば、「全ての放送局の電波状態が悪いため、照合処理が行えません」など）の出力要求を音声アナウンス部８に出力する（ステップＳＴ１６）。また、音声アナウンスにおいて、照合処理を継続するか、または照合処理を終了するかのユーザ判断を求めるアナウンス出力を行ってもよい。
【００２７】
選局部７２は、ステップＳＴ１６の音声アナウンスの出力要求に基づいて出力された音声アナウンスに対して入力されたユーザ指示が照合処理の継続であるか否か判定を行う（ステップＳＴ１７）。ユーザ指示が照合処理の継続である場合（ステップＳＴ１７；ＹＥＳ）、ステップＳＴ１８に進む。一方、ユーザ指示が照合処理の終了である場合（ステップＳＴ１７；ＮＯ）、処理を終了する。さらに、上述したステップＳＴ１５において全ての放送局の電波状態が一定期間悪くないと判定された場合（ステップＳＴ１５；ＮＯ）、ステップＳＴ１８に進む。選局部７２は、ステップＳＴ１４で確定した各放送局の電波状態に基づいて第１のチューナ２および第２のチューナ３の切替方法を決定し（ステップＳＴ１８）、チューナ切替必要判定処理（図３の符号Ｙ）に戻る。
【００２８】
図４は、この発明の実施の形態１による移動体用放送受信機の選局部によるチューナ切替方法を示す図である。図４における各放送局の優先度は、上記と同様にＡ局＞Ｂ局＞Ｃ局であるものとする。また、電波状態の初期値は、Ａ局、Ｂ局、Ｃ局の全てにおいて良好と設定される。
図４のＮｏ．１に示した電波状態では、Ａ局、Ｂ局、Ｃ局全ての放送局の電波状態が良好であることから、チューナの切替方法として、第１のチューナ２にＡ局が設定され、第２のチューナ３にＢ局およびＣ局が設定される。第２のチューナ３では、メインの放送局をＢ局に設定し、一定間隔でＣ局に切り替える。ここで、Ｂ局の選局時間は、Ｃ局の選局時間に対して十分に大きい時間に設定する。例えば、Ｂ局の一回の選局時間を５５秒とした場合に、Ｃ局の一回の選局時間を５秒とする。一定間隔でＣ局に切替るのは、Ｃ局の電波状態を定期的に監視し、次のチューナ切替方法を決定するための準備である。
【００２９】
次に、Ｎｏ．３に示した電波状態では、Ａ局、Ｃ局の電波状態は良好であるが、Ｂ局の電波状態悪い旨を示しており、チューナの切替方法として、第１のチューナ２に優先度が高いＡ局が設定され、第２のチューナ３にＢ局およびＣ局が設定される。第２のチューナ３では、メインの放送局をＣ局に設定し、一定間隔でＢ局に切り替える。ここで、Ｃ局の選局時間は、Ｂ局の選局時間に対して十分に大きい時間に設定する。一定間隔でＢ局に切替るのは、Ｂ局の電波状態を定期的に監視し、次のチューナ切替方法を決定するための準備である。
【００３０】
Ｎｏ．７に示した電波状態では、Ｃ局の電波状態は良好であるが、Ａ局、Ｂ局の電波状態悪い旨を示しており、チューナの切替方法として、第１のチューナ２に電波状態が良好なＣ局が設定され、第２のチューナ３にＡ局およびＢ局が設定される。第２のチューナ３では、一定間隔でＡ局とＢ局を交互に切り替える切替方法が示されている。ここで、Ａ局の選局時間とＢ局の選局時間は同等となるように設定する。Ａ局とＢ局とを交互に切り替えることにより、Ａ局とＢ局の電波状態を定期的に監視し、次のチューナ切替方法を決定するための準備である。
【００３１】
Ｎｏ．８に示した電波状態では、Ａ局、Ｂ局、Ｃ局全ての放送局の電波状態が悪い旨を示しており、チューナの切替方法として、第１のチューナ２に優先度が高いＡ局が設定され、第２のチューナ３にＢ局およびＣ局が設定される。第２のチューナ３では、一定間隔でＢ局とＣ局を交互に切り替える切替方法が示されている。ここで、Ｂ局の選局時間とＣ局の選局時間は同等となるように設定する。Ｂ局とＣ局とを交互に切り替えることにより、Ｂ局とＣ局の電波状態を定期的に監視し、次のチューナ切替方法を決定するための準備である。
【００３２】
このように、選局部７２は各放送局の電波状態が同等である場合には、放送局間の優先度に基づいて第１のチューナ２および第２のチューナ３の切替方法を決定する条件をあらかじめ有している。また、図４に示した組み合わせに応じて、第２のチューナ３に設定された２つの放送局の選局時間に長短を設ける、あるいは２つの放送局の選局時間を同等とするなどの条件をあらかじめ有している。
【００３３】
以上のように、この実施の形態１によれば、複数の放送局を指定するユーザ操作を受け付け、指定された複数の放送局の電波状態に基づいてチューナの切替方法を決定し、当該チューナの切替方法に従って自動的に照合を行う放送局を切り替えながら、ユーザが入力したキーワードに一致する放送を行う放送局を検索する制御部７を備えるように構成したので、効率よく放送局を選局しながらキーワードとの照合処理を行うことができる。これにより、ユーザは、取得したい情報が放送されていると予想される放送局を探索することなく、取得したい情報が放送されることを認知することができる。
【００３４】
また、この実施の形態１によれば、キーワードに一致する放送を行う放送局が検索された場合に、音声アナウンス部８を介してユーザに通知するように構成したので、ユーザはＣＤなどの音楽を楽しみながら、キーワードに一致する放送を行う放送局を効率よく検索することができる。
【００３５】
この実施の形態１の移動体用放送受信機を用いて、ユーザがお気に入りのミュージシャンを示すキーワードを入力することにより、当該ミュージシャンに関する情報が放送されていると予想される放送局を探索することなく、ＣＤやＤＶＤなどを楽しみながら当該ミュージシャンの曲、話題、コンサート情報などが放送されることを認知することができる。
また、ユーザが、野球中継が行われる放送局を選択し、お気に入りの選手を示すキーワードを入力することにより、ＣＤやＤＶＤなどを楽しみながらお気に入りの選手の登場、選手の情報などが放送されることを認知することができる。
【００３６】
なお、上述した実施の形態１では、ユーザが３つの放送局を指定する場合を例に説明を行ったが、４つ以上の放送局を指定可能に構成してもよい。これにより、電波状態が悪い放送局が多く存在する場合にも、さらに不要な照合を抑制することができる。
さらに、第１のチューナ２および第２のチューナ３の２つのチューナを搭載する場合を例に説明を行ったが、３つ以上のチューナを搭載して構成してもよい。３つ以上のチューナを搭載することにより、キーワードと放送との照合が一致する確率を高めることができる。
【００３７】
また、上述した実施の形態１では、１つのキーワードを設定する場合を例に説明を行ったが、複数のキーワードを設定してもよい。その場合、複数のキーワードを論理和とすれば幅広い照合処理を行うことができ、複数のキーワードの論理積とすれば絞りこんだ照合処理を行うことができる。
【００３８】
また、上述した実施の形態１では、ＣＤなどの音声ソース９を聴きながら、制御部７が第１のチューナ２および第２のチューナ３が受信する放送波の放送とキーワードの照合を行うように構成したが、一方のチューナで受信した放送を聴きながら、他方のチューナで受信した放送波の放送とキーワードの照合を行うように構成してもよい。これにより、一方のチューナが受信した放送を聴きながら異なるチューナが受信した放送とキーワードとを照合することができる。
【００３９】
また、上述した実施の形態１の移動体用放送受信機に録音機能を追加して設け、上述した図２のフローチャートのステップＳＴ９において音声切替指示の入力が行われなかった場合に、当該録音機能を用いてキーワードとの照合に一致した放送を録音しておくことにより、ＣＤやＤＶＤなどの視聴を楽しんだ後に録音した音声データを再生することができる。記録方法としては、追加して書き込み可能な方法を採用することにより、時間が経過した後に複数の録音データをまとめて再生することができる。
さらに、録音機能による録音動作を停止させるキーワードを記憶部７１に登録しておき、ユーザにより録音動作を停止させるキーワードが入力された場合に録音動作を停止するように構成してもよい。これにより不要な音声データの記録を抑制することができる。
【００４０】
なお、上述した実施の形態１では、ユーザが複数の放送局を指定し、記憶部７１に登録する構成を示したが、移動体用放送受信機側でユーザが良く選局する放送局を任意に選択して記憶部７１に登録するように構成してもよい。
【００４１】
なお、上述した実施の形態１では、第１および第２のチューナが、ラジオである場合を例に説明したが、テレビや携帯電話など放送波を受信する装置であれば適用可能である。
【００４２】
なお、本願発明はその発明の範囲内において、実施の形態の任意の構成要素の変形、もしくは実施の形態の任意の構成要素の省略が可能である。
【符号の説明】
【００４３】
１  アンテナ、２  第１のチューナ、３  第２のチューナ、４  操作部、５  音声入力部、６  音声認識部、７  制御部、８  音声アナウンス部、９  音声ソース、１０  音声切替部、１１  音声出力部、７１  記憶部、７２  選局部、７３  照合部、７４  音声切替処理部。
【図１】
2013255060.tif 000003
【図２】
2013255060.tif 000004
【図３】
2013255060.tif 000005
【図４】
2013255060.tif 000006